(57)【要約】  初期化動作するときに放電セル内に不要な放電が発生するのを防止し、表示画像の黒輝度の低減と書込み放電の安定化とを両立して画像表示品質を高める。そのために、走査電極と維持電極とからなる表示電極対およびデータ電極を有する放電セルを複数備えたプラズマディスプレイパネルを、初期化期間と書込み期間と維持期間とを有するサブフィールドを１フィールド内に複数設けて階調表示するプラズマディスプレイパネルの駆動方法において、所定のサブフィールドの書込み期間において、走査パルスを全ての走査電極に印加し終えた後に、第１電圧から緩やかに下降する傾斜電圧を維持電極に印加し、維持電極に下降する傾斜電圧を印加する期間、第２電圧をデータ電極に印加する。
2010131466.tif 000002
【特許請求の範囲】
【請求項１】
走査電極と維持電極とからなる表示電極対およびデータ電極を有する放電セルを複数備えたプラズマディスプレイパネルを、前記走査電極に初期化波形を印加して前記放電セルに初期化放電を発生する初期化期間と、前記走査電極には走査パルスを印加し前記維持電極には第１電圧を印加し前記データ電極には選択的に書込みパルスを印加して発光すべき前記放電セルに書込み放電を発生する書込み期間と、前記表示電極対に交互に維持パルスを印加して前記書込み放電を発生した前記放電セルに維持放電を発生する維持期間とを有するサブフィールドを１フィールド内に複数設けて階調表示するプラズマディスプレイパネルの駆動方法であって、
所定のサブフィールドにおいて、
前記走査パルスを全ての前記走査電極に印加し終えた後で、かつ前記維持パルスを前記表示電極対に印加する前に、前記第１電圧から緩やかに下降する傾斜電圧を前記維持電極に印加し、前記維持電極に前記下降する傾斜電圧を印加する期間、第２電圧を前記データ電極に印加することを特徴とするプラズマディスプレイパネルの駆動方法。
【請求項２】
前記下降する傾斜電圧は、互いに勾配が異なる少なくとも２つの傾斜領域を有することを特徴とする請求項１に記載のプラズマディスプレイパネルの駆動方法。
【請求項３】
前記初期化期間では、
強制初期化波形を前記走査電極に印加して前記放電セルに初期化放電を発生する強制初期化動作を含む複数の初期化動作のうちのいずれかの初期化動作を選択的に行い、
前記所定のサブフィールドは、
前記強制初期化動作を行う放電セルが存在する初期化期間を有するサブフィールドの直前のサブフィールドであることを特徴とする請求項１または請求項２に記載のプラズマディスプレイパネルの駆動方法。
【請求項４】
緩やかに上昇する傾斜電圧を前記走査電極に印加して前記強制初期化動作を行い、
前記上昇する傾斜電圧を前記走査電極に印加する期間、前記データ電極に第３電圧を印加することを特徴とする請求項３に記載のプラズマディスプレイパネルの駆動方法。
【請求項５】
前記表示電極対に前記維持パルスを印加する期間は、前記データ電極を前記第２電圧よりも低いベース電位とすることを特徴とする請求項１に記載のプラズマディスプレイパネルの駆動方法。
【請求項６】
初期化期間と書込み期間と維持期間とを有するサブフィールドを１フィールド内に複数設けて階調表示するサブフィールド法で駆動し、走査電極と維持電極とからなる表示電極対およびデータ電極を有する放電セルを複数備えたプラズマディスプレイパネルと、
前記初期化期間には前記放電セルに初期化放電を発生する初期化波形を前記走査電極に印加し、前記書込み期間には走査パルスを前記走査電極に印加し、前記維持期間には維持パルスを前記走査電極に印加する走査電極駆動回路と、
前記書込み期間には前記維持電極に第１電圧を印加し、前記維持期間には前記維持電極に維持パルスを印加する維持電極駆動回路と、
前記書込み期間に、前記データ電極に選択的に書込みパルスを印加するデータ電極駆動回路とを備え、
前記維持電極駆動回路は、
所定のサブフィールドにおいて、前記走査電極駆動回路が前記走査パルスを全ての前記走査電極に印加し終えた後で、かつ前記走査電極駆動回路または前記維持電極駆動回路が前記維持パルスを前記表示電極対に印加する前に、前記第１電圧から緩やかに下降する傾斜電圧を前記維持電極に印加し、
前記データ電極駆動回路は、
前記維持電極駆動回路が前記下降する傾斜電圧を前記維持電極に印加する期間、第２電圧を前記データ電極に印加することを特徴とするプラズマディスプレイ装置。
【発明の詳細な説明】
【技術分野】
【０００１】
本発明は、壁掛けテレビや大型モニターに用いられるプラズマディスプレイパネルの駆動方法およびプラズマディスプレイ装置に関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極対が前面ガラス基板上に互いに平行に複数対形成されている。そして、それら表示電極対を覆うように誘電体層および保護層が形成されている。背面板は、背面ガラス基板上に複数の平行なデータ電極が形成され、それらデータ電極を覆うように誘電体層が形成され、さらにその上にデータ電極と平行に複数の隔壁が形成されている。そして、誘電体層の表面と隔壁の側面とに蛍光体層が形成されている。そして、表示電極対とデータ電極とが立体交差するように前面板と背面板とが対向配置されて密封されている。密封された内部の放電空間には、例えば分圧比で５％のキセノンを含む放電ガスが封入されている。ここで表示電極対とデータ電極とが対向する部分に放電セルが形成される。このような構成のパネルにおいて、各放電セル内でガス放電により紫外線を発生させ、この紫外線で赤色（Ｒ）、緑色（Ｇ）および青色（Ｂ）の各色の蛍光体を励起発光させてカラー表示を行っている。【０００３】
パネルを駆動する方法としては一般にサブフィールド法が用いられている。サブフィールド法では、１フィールドを複数のサブフィールドに分割し、それぞれのサブフィールドで各放電セルの発光と非発光とを制御する。そして、１フィールドに発生する発光の回数を制御することにより階調表示を行う。【０００４】
各サブフィールドは、初期化期間、書込み期間および維持期間を有する。初期化期間では、各走査電極に初期化波形を印加し、各放電セルで初期化放電を発生する。これにより、続く書込み動作のために必要な壁電荷を各放電セルに形成するとともに、書込み放電を安定して発生させるためのプライミング粒子（書込み放電を発生させるための励起粒子）を発生する。【０００５】
書込み期間では、走査電極には走査パルスを順次印加し、データ電極には表示すべき画像信号に対応した書込みパルスを選択的に印加する。これにより、発光すべき放電セルにおいて、走査電極とデータ電極との間に書込み放電を発生し、壁電荷を形成する（以下、この動作を「書込み」とも記す）。【０００６】
維持期間では、走査電極と維持電極とからなる表示電極対に、サブフィールド毎に定められた回数の維持パルスを交互に印加する。これにより、書込み放電による壁電荷形成が行われた放電セルで維持放電を発生し、その放電セルの蛍光体層が発光する。このようにして、パネルの画像表示領域に画像を表示する。【０００７】
パネルにおける画像表示品質を高める上で重要な要因の１つにコントラストの向上がある。そして、サブフィールド法の１つとして、階調表示に関係しない発光を極力減らしコントラスト比を向上する駆動方法が開示されている。【０００８】
この駆動方法では、１フィールドを構成する複数のサブフィールドのうち、１つのサブフィールドの初期化期間では全ての放電セルに初期化放電を発生する初期化動作を行う。また、他のサブフィールドの初期化期間では直前の維持期間で維持放電を行った放電セルに対して選択的に初期化放電を行う初期化動作を行う。【０００９】
維持放電が発生しない黒表示領域の輝度（以下、「黒輝度」と略記する）は画像の表示に関係のない発光によって変化する。この発光は、例えば、初期化放電によって生じる発光等である。しかし、上述の駆動方法では、黒表示領域における発光は全ての放電セルに初期化動作を行うときの微弱発光だけとなる。これにより、黒輝度を低減してコントラストの高い画像表示が可能となる（例えば、特許文献１参照）。【００１０】
近年においては、パネルの大画面化、高精細化にともない画像表示品質のさらなる向上が望まれている。【００１１】
そのために、例えば、全ての放電セルに初期化放電を発生する初期化動作を行うときの初期化波形の最大電圧を下げて初期化放電時の発光輝度を低減し、表示画像の黒輝度をさらに下げるといった試みがなされている。【００１２】
しかし、初期化波形の最大電圧を下げると、初期化放電の持続時間が短くなり、各電極上に十分な壁電荷が形成されなくなるおそれがある。【００１３】
そこで、初期化放電を発生する際に、データ電極に正の電圧を印加し、走査電極−データ電極間で放電が発生するよりも先に、走査電極−維持電極間で放電を発生させて、初期化放電を安定に発生させる試みもなされている（例えば、特許文献２参照）。【００１４】
しかしながら、特許文献２に記載の従来技術においては、データ電極に正の電圧を印加するときに維持電極−データ電極間に不要な放電が発生することがある。そのような場合、放電セル内のプライミング粒子や壁電荷が減少し、書込み放電が正常に発生しないことがある。以下、書込み放電が正常に発生しないことを「書込み不良」とも記す。
【先行技術文献】
【特許文献】
【００１５】
【特許文献１】特開２０００−２４２２２４号公報
【特許文献２】国際公開第２００８／０１８５２７号公報
【発明の概要】
【００１６】
本発明のパネルの駆動方法は、走査電極と維持電極とからなる表示電極対およびデータ電極を有する放電セルを複数備えたパネルを、走査電極に初期化波形を印加して放電セルに初期化放電を発生する初期化期間と、走査電極には走査パルスを印加し維持電極には第１電圧を印加しデータ電極には選択的に書込みパルスを印加して発光すべき放電セルに書込み放電を発生する書込み期間と、表示電極対に交互に維持パルスを印加して書込み放電を発生した放電セルに維持放電を発生する維持期間とを有するサブフィールドを１フィールド内に複数設けて階調表示するパネルの駆動方法であって、所定のサブフィールドにおいて、走査パルスを全ての走査電極に印加し終えた後で、かつ維持パルスを表示電極対に印加する前に、第１電圧から緩やかに下降する傾斜電圧を維持電極に印加し、維持電極にその下降する傾斜電圧を印加する期間、第２電圧をデータ電極に印加することを特徴とする。
【００１７】
これにより、データ電極に正の電圧を印加して初期化動作するときに、放電セル内に不要な放電が発生するのを防止し、表示画像の黒輝度の低減と書込み放電の安定化とを両立して、画像表示品質を高めることが可能となる。
【図面の簡単な説明】
【００１８】
【図１】図１は、本発明の実施の形態１におけるパネルの構造を示す分解斜視図である。
【図２】図２は、本発明の実施の形態１におけるパネルの電極配列図である。
【図３】図３は、本発明の実施の形態１におけるパネルの各電極に印加する駆動電圧波形の一例を示す波形図である。
【図４】図４は、本発明の実施の形態１におけるプラズマディスプレイ装置の回路ブロック図である。
【図５】図５は、本発明の実施の形態１におけるプラズマディスプレイ装置の走査電極駆動回路の一構成例を示す回路図である。
【図６】図６は、本発明の実施の形態１におけるプラズマディスプレイ装置の維持電極駆動回路の一構成例を示す回路図である。
【図７】図７は、本発明の実施の形態１におけるプラズマディスプレイ装置のデータ電極駆動回路の一構成例を示す回路図である。
【図８】図８は、本発明の実施の形態１における特定セル初期化サブフィールドの初期化期間の走査電極駆動回路の動作の一例を説明するためのタイミングチャートである。
【図９】図９は、本発明の実施の形態１における強制初期化波形および非初期化波形の発生パターンの一例を示す図である。
【図１０】図１０は、本発明の実施の形態２におけるパネルの各電極に印加する駆動電圧波形の一例を示す波形図である。
【図１１】図１１は、本発明の実施の形態２におけるプラズマディスプレイ装置の維持電極駆動回路の一構成例を示す回路図である。
【図１２】図１２は、本発明の実施の形態３におけるパネルの各電極に印加する駆動電圧波形の一例を示す波形図である。
【図１３】図１３は、本発明の実施の形態３におけるパネルの各電極に印加する駆動電圧波形の他の一例を示す波形図である。
【図１４】図１４は、本発明の実施の形態３におけるパネルの各電極に印加する駆動電圧波形のさらに他の一例を示す波形図である。
【発明を実施するための形態】
【００１９】
以下、本発明の実施の形態におけるプラズマディスプレイ装置について、図面を用いて説明する。
【００２０】
（実施の形態１）
図１は、本発明の実施の形態１におけるパネル１０の構造を示す分解斜視図である。ガラス製の前面板２１上には、走査電極２２と維持電極２３とからなる表示電極対２４が複数形成されている。そして走査電極２２と維持電極２３とを覆うように誘電体層２５が形成され、その誘電体層２５上に保護層２６が形成されている。また、保護層２６は、２次電子放出係数が大きく、かつ耐久性に優れた酸化マグネシウム（ＭｇＯ）を主成分とする材料から形成されている。
【００２１】
背面板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００２２】
これら前面板２１と背面板３１とは、微小な放電空間を挟んで表示電極対２４とデータ電極３２とが交差するように対向配置されている。そして、その外周部をガラスフリット等の封着材によって封着されている。そして、その内部の放電空間には、ネオンとキセノンの混合ガスが放電ガスとして封入されている。なお、本実施の形態では、発光効率を向上させるためにキセノン分圧を約１０％とした放電ガスを用いている。放電空間は隔壁３４によって複数の区画に仕切られており、表示電極対２４とデータ電極３２とが交差する部分に放電セルが形成されている。そしてこれらの放電セルが放電、発光することにより画像が表示される。
【００２３】
なお、パネル１０の構造は上述したものに限られるわけではなく、例えばストライプ状の隔壁を備えたものであってもよい。また、放電ガスの混合比率も上述した数値に限られるわけではなく、その他の混合比率であってもよい。
【００２４】
図２は、本発明の実施の形態１におけるパネル１０の電極配列図である。パネル１０には、行方向に長いｎ本の走査電極ＳＣ１〜走査電極ＳＣｎ（図１の走査電極２２）およびｎ本の維持電極ＳＵ１〜維持電極ＳＵｎ（図１の維持電極２３）が配列されている。そして、列方向に長いｍ本のデータ電極Ｄ１〜データ電極Ｄｍ（図１のデータ電極３２）が配列されている。そして、１対の走査電極ＳＣｉ（ｉ＝１〜ｎ）および維持電極ＳＵｉと１つのデータ電極Ｄｋ（ｋ＝１〜ｍ）とが交差した部分に放電セルが形成されている。したがって、放電セルは放電空間内にｍ×ｎ個形成されている。そして、ｍ×ｎ個の放電セルが形成された領域がパネル１０の表示領域となる。
【００２５】
次に、パネル１０を駆動するための駆動電圧波形とその動作の概要について説明する。なお、本実施の形態におけるプラズマディスプレイ装置は、サブフィールド法によってパネル１０を駆動するものとする。このサブフィールド法では、１フィールドを時間軸上で複数のサブフィールドに分割し、各サブフィールドに輝度重みをそれぞれ設定し、サブフィールド毎に各放電セルの発光・非発光を制御することによって階調表示を行う。
【００２６】
このサブフィールド法では、例えば、１フィールドを８つのサブフィールド（第１ＳＦ、第２ＳＦ、・・・、第８ＳＦ）で構成し、各サブフィールドはそれぞれ１、２、４、８、１６、３２、６４、１２８の輝度重みを有する構成とすることができる。そして、各サブフィールドの維持期間においては、それぞれのサブフィールドの輝度重みに所定の輝度倍率を乗じた数の維持パルスを表示電極対２４のそれぞれに印加する。
【００２７】
なお、本実施の形態では、初期化期間に、「強制初期化動作」を含む複数の初期化動作のうちのいずれかの初期化動作を選択的に行う。この複数の初期化動作とは、例えば、「強制初期化動作」、「非初期化動作」、「選択初期化動作」である。そして、複数のサブフィールドのうち、１つのサブフィールドの初期化期間においては、「強制初期化動作」と「非初期化動作」とを選択的に行う初期化動作を行い、他のサブフィールドの初期化期間においては「選択初期化動作」を行う。こうすることで、階調表示に関係しない発光を極力減らし、表示画像のコントラスト比を向上させることが可能である。なお、この「強制初期化動作」とは、後述する強制初期化波形を走査電極２２に印加し、直前のサブフィールドの動作にかかわらず放電セルに初期化放電を発生する初期化動作のことである。また、「非初期化動作」とは、後述する上りランプ電圧Ｌ１による初期化放電を放電セルに発生しない初期化動作のことである。また、「選択初期化動作」とは、直前のサブフィールドの維持期間に維持放電を発生した放電セルだけに初期化放電を発生する初期化動作のことである。また、以下、１つのサブフィールドの初期化期間において強制初期化動作と非初期化動作とを選択的に行う初期化動作のことを「特定セル初期化動作」と呼称する。また、初期化期間に特定セル初期化動作を行うサブフィールドを「特定セル初期化サブフィールド」と呼称し、初期化期間に選択初期化動作を行うサブフィールドを「選択初期化サブフィールド」と呼称する。
【００２８】
なお、本実施の形態では、上述した特定セル初期化サブフィールドおよび選択初期化サブフィールドに加え、初期化期間に全ての放電セルで非初期化動作を行う非初期化サブフィールドを発生する構成としている。すなわち、非初期化サブフィールドは、後述する上りランプ電圧Ｌ１による初期化放電を全ての放電セルで発生させないサブフィールドである。
【００２９】
そして、本実施の形態では、１フィールドを８つのサブフィールド（第１ＳＦ、第２ＳＦ、・・・、第８ＳＦ）で構成し、第１ＳＦは特定セル初期化サブフィールドと非初期化サブフィールドとのいずれかとし、第２ＳＦ〜第８ＳＦは選択初期化サブフィールドとする。そして、それぞれの放電セルにおいて強制初期化動作を行う頻度が複数フィールドに１回となるように、強制初期化動作を行う放電セルをフィールド毎に変更する。なお、本実施の形態では、それぞれの放電セルにおいて強制初期化動作を行う頻度を６フィールドに１回とする例を説明する。
【００３０】
これにより、それぞれの放電セルでは、強制初期化動作を行う頻度が複数フィールドに１回となる。例えば、本実施の形態に示す例では、この頻度は６フィールドに１回となる。したがって、毎フィールドに１回の割り合いで強制初期化動作を行う構成と比較して、強制初期化動作を行う頻度を減らすことができる。維持放電を発生しない黒表示領域の輝度である黒輝度は、強制初期化動作の頻度に応じて変化する。したがって、強制初期化動作の頻度を低減することで、表示画像における黒輝度を低減して、コントラストを高めることができる。
【００３１】
なお、以下、特定セル初期化サブフィールド（例えば、第１ＳＦとする）と複数の選択初期化サブフィールド（例えば、第２ＳＦ〜第８ＳＦとする）とを有するフィールドを「特定セル初期化フィールド」と呼称し、非初期化サブフィールド（例えば、第１ＳＦとする）と複数の選択初期化サブフィールド（例えば、第２ＳＦ〜第８ＳＦとする）とを有するフィールドを「非初期化フィールド」と呼称する。
【００３２】
しかし、本実施の形態は、サブフィールド数や各サブフィールドの輝度重みが上記の値に限定されるものではない。また、画像信号等にもとづいてサブフィールド構成を切換える構成であってもよい。
【００３３】
次に、特定セル初期化フィールドを例に挙げて駆動電圧波形を説明する。
【００３４】
図３は、本発明の実施の形態１におけるパネル１０の各電極に印加する駆動電圧波形の一例を示す波形図である。図３には、書込み期間において最初に書込み動作を行う走査電極ＳＣ１、書込み期間において２番目に書込み動作を行う走査電極ＳＣ２、書込み期間において最後に書込み動作を行う走査電極ＳＣｎ（例えば、走査電極ＳＣ１０８０）、維持電極ＳＵ１〜維持電極ＳＵｎ、およびデータ電極Ｄ１〜データ電極Ｄｍの駆動電圧波形を示す。
【００３５】
また、図３には、２つのサブフィールドの駆動電圧波形を示す。すなわち、非初期化フィールドの最終サブフィールド（第８ＳＦ）と、特定セル初期化フィールドの第１サブフィールド（第１ＳＦ）とを示す。本実施の形態においては、特定セル初期化フィールドの第１ＳＦは特定セル初期化サブフィールドであり、特定セル初期化フィールドおよび非初期化フィールドのいずれも第１ＳＦを除くサブフィールドは選択初期化サブフィールドである。
【００３６】
また、以下における走査電極ＳＣｉ、維持電極ＳＵｉ、データ電極Ｄｋは、各電極の中からサブフィールドデータにもとづき選択された電極を表す。このサブフィールドデータとは、サブフィールド毎の発光・非発光を示すデータのことである。
【００３７】
なお、図３には、配置的に見て上から（１＋３×Ｎ）番目（Ｎは整数）の走査電極ＳＣ（１＋３×Ｎ）には強制初期化波形を印加し、それ以外の走査電極２２には非初期化波形を印加する例を示す。この強制初期化波形とは、強制初期化動作を行うための初期化波形、すなわち、直前のサブフィールドの動作にかかわらず放電セルに初期化放電を発生する初期化波形のことである。また、非初期化波形とは、非初期化動作を行うための初期化波形、すなわち、後述する上りランプ電圧Ｌ１による初期化放電を放電セルに発生しない初期化波形のことである。
【００３８】
まず、特定セル初期化フィールドである第１ＳＦについて説明する。
【００３９】
第１ＳＦの初期化期間前半部では、維持電極ＳＵ１〜維持電極ＳＵｎには０（Ｖ）を印加し、データ電極Ｄ１〜データ電極Ｄｍには第３電圧である正の電圧Ｖｄを印加する。そして、走査電極ＳＣ（１＋３×Ｎ）には、電圧Ｖｉ１を印加し、電圧Ｖｉ１から電圧Ｖｉ２に向かって緩やかに（例えば、約０．５Ｖ／μｓｅｃの勾配で）上昇する傾斜電圧（以下、「上りランプ電圧Ｌ１」と呼称する）を印加する。このとき、電圧Ｖｉ１は、維持電極ＳＵ（１＋３×Ｎ）に対して放電開始電圧未満の電圧にし、電圧Ｖｉ２は維持電極ＳＵ（１＋３×Ｎ）に対して放電開始電圧を超える電圧にする。
【００４０】
この上りランプ電圧Ｌ１が上昇する間に、走査電極ＳＣ（１＋３×Ｎ）と維持電極ＳＵ（１＋３×Ｎ）との間、および走査電極ＳＣ（１＋３×Ｎ）とデータ電極Ｄ１〜データ電極Ｄｍとの間でそれぞれ微弱な初期化放電が持続して起こる。そして、走査電極ＳＣ（１＋３×Ｎ）上部に負の壁電圧が蓄積されるとともに、走査電極ＳＣ（１＋３×Ｎ）と交差するデータ電極Ｄ１〜データ電極Ｄｍ上部および維持電極ＳＵ（１＋３×Ｎ）上部には正の壁電圧が蓄積される。この電極上部の壁電圧とは、電極を覆う誘電体層上、保護層上、蛍光体層上等に蓄積された壁電荷により生じる電圧を表す。
【００４１】
初期化期間後半部では、走査電極ＳＣ（１＋３×Ｎ）の印加電圧を、電圧Ｖｉ２から電圧Ｖｉ２よりも低い電圧Ｖｉ３に下降する。維持電極ＳＵ１〜維持電極ＳＵｎには正の電圧Ｖｅを印加し、データ電極Ｄ１〜データ電極Ｄｍには０（Ｖ）を印加する。そして、走査電極ＳＣ（１＋３×Ｎ）に、電圧Ｖｉ３から負の電圧Ｖｉ４に向かって緩やかに（例えば、約−０．５Ｖ／μｓｅｃの勾配で）下降する傾斜電圧（以下、「下りランプ電圧Ｌ２」と呼称する）を印加する。このとき、電圧Ｖｉ３は、維持電極ＳＵ（１＋３×Ｎ）に対して放電開始電圧未満の電圧にし、電圧Ｖｉ４は維持電極ＳＵ（１＋３×Ｎ）に対して放電開始電圧を超える電圧にする。
【００４２】
この間に、走査電極ＳＣ（１＋３×Ｎ）と維持電極ＳＵ（１＋３×Ｎ）との間、および走査電極ＳＣ（１＋３×Ｎ）とデータ電極Ｄ１〜データ電極Ｄｍとの間で、それぞれ微弱な初期化放電が起こる。そして、走査電極ＳＣ（１＋３×Ｎ）上部の負の壁電圧および維持電極ＳＵ（１＋３×Ｎ）上部の正の壁電圧が弱められ、走査電極ＳＣ（１＋３×Ｎ）と交差するデータ電極Ｄ１〜データ電極Ｄｍ上部の正の壁電圧は書込み動作に適した値に調整される。
【００４３】
以上の波形が、直前のサブフィールドの動作にかかわらず放電セルに初期化放電を発生する強制初期化波形である。そして、強制初期化波形を走査電極２２に印加して行う上述の動作が強制初期化動作である。
【００４４】
一方、走査電極ＳＣ（１＋３×Ｎ）以外の走査電極２２は、第１ＳＦの初期化期間前半部では、電圧Ｖｉ１を印加せず、０（Ｖ）のままとし、０（Ｖ）から電圧Ｖｉ２’に向かって緩やかに上昇する上りランプ電圧Ｌ１’を印加する。この上りランプ電圧Ｌ１’は、上りランプ電圧Ｌ１と同じ勾配で、上りランプ電圧Ｌ１と同じ時間だけ上昇を続けるものとする。したがって、電圧Ｖｉ２’は電圧Ｖｉ２から電圧Ｖｉ１を引いた電圧に等しい電圧となる。このとき、電圧Ｖｉ２’は維持電極２３に対して放電開始電圧未満の電圧となるように各電圧および上りランプ電圧Ｌ１’を設定する。これにより、上りランプ電圧Ｌ１’を印加した放電セルでは、上りランプ電圧Ｌ１を印加するときのような放電は実質的に発生しない。
【００４５】
初期化期間後半部では、走査電極ＳＣ（１＋３×Ｎ）以外の走査電極２２にも、走査電極ＳＣ（１＋３×Ｎ）と同様に、下りランプ電圧Ｌ２を印加する。
【００４６】
以上の波形が、非初期化波形である。そして、非初期化波形を走査電極２２に印加して行う上述の動作が非初期化動作である。
【００４７】
なお、強制初期化動作においては、上りランプ電圧Ｌ１の最大電圧である電圧Ｖｉ２の大きさに応じて初期化放電の持続時間が変化する。したがって、電圧Ｖｉ２を小さくすれば、初期化放電の持続時間を短くすることができる。そして、黒輝度は、強制初期化動作による発光に応じて変化するので、初期化放電の持続時間を短くすることで、強制初期化動作時の発光を低減して、表示画像の黒輝度をさらに低減することができる。
【００４８】
しかしながら、初期化放電の持続時間を短くすると、その分、初期化放電で形成する壁電荷やプライミング粒子の量が少なくなる。そうすると、壁電荷やプライミング粒子が不十分な状態で次の特定セル初期化フィールドにおける強制初期化動作を行わなければならない放電セルが発生する。このような放電セルでは、強制初期化動作時に、壁電荷やプライミング粒子が不足した状態で無理に放電しようとするため、強放電が発生してしまう。
【００４９】
この強放電は次のような理由により発生すると考えられる。
【００５０】
上述したように、走査電極２２、維持電極２３の上部は、２次電子放出係数が大きいＭｇＯを主成分とする材料からなる保護層２６で覆われている。一方で、データ電極３２の上部は保護層２６と比べて２次電子放出係数が小さい蛍光体層３５で覆われている。そのため、初期化動作を行う際には、走査電極２２−データ電極３２間よりも先に、走査電極２２−維持電極２３間で放電を発生させる方が、初期化放電を安定に発生させることができる。
【００５１】
しかし、電圧Ｖｉ２を小さくすると、走査電極２２−維持電極２３間の電位差が、電圧Ｖｉ２が大きいときと比較して小さくなってしまう。そのため、走査電極２２−維持電極２３間で放電が発生するよりも先に走査電極２２−データ電極３２間で放電が発生する可能性が高まる。このとき、放電セル内の壁電荷やプライミングが少ないと、放電が無理に発生しようとして、強放電が発生するものと思われる。
【００５２】
上りランプ電圧Ｌ１を印加したときに強放電が発生した放電セルでは、同様の強放電が下りランプ電圧Ｌ２の印加時にも発生しやすいことが確認されている。そして、このような強放電が発生した放電セルは、書込みがなされたのと同様の壁電荷状態になることがある。このような場合、その放電セルでは、書込み動作の有無にかかわらず維持放電が発生してしまう。以下、このような現象により書込み動作の有無にかかわらず放電セルに維持放電が発生して発光が生じることを「初期化輝点」と呼称する。
【００５３】
また、壁電荷やプライミング粒子は時間の経過とともに減少する。したがって、それぞれの放電セルで複数フィールドに１回の割り合いでしか強制初期化動作を行わない構成では、毎フィールドに１回の割り合いで強制初期化動作を行う構成と比較して、強制初期化動作を行う間隔が長くなり、壁電荷やプライミング粒子が不足しやすくなる。そのため、そのようなパネル駆動を行うときには強放電が発生しやすく、初期化輝点も発生しやすい。
【００５４】
この強放電は、上述したように、走査電極２２−維持電極２３間よりも先に走査電極２２−データ電極３２間で放電が発生することが原因で発生すると考えられる。したがって、走査電極２２−データ電極３２間よりも先に、走査電極２２−維持電極２３間で放電を発生させることができれば、強放電の発生を抑制することができる。
【００５５】
そのためには、図３に示すように、上りランプ電圧Ｌ１を走査電極２２に印加する期間、データ電極３２に正の電圧Ｖｄを印加すればよい。これにより、電圧Ｖｄを印加した分だけ走査電極２２−データ電極３２間の電位差が小さくなり、走査電極２２−データ電極３２間よりも先に走査電極２２−維持電極２３間で放電が発生しやすくなる。こうして、強放電の発生を抑制することができる。
【００５６】
なお、放電セル内に残存するプライミング粒子が不足すると、上りランプ電圧Ｌ１を走査電極２２に印加しても初期化放電が発生しないこともある。初期化放電が発生しない放電セルでは、続く書込みにおいて壁電荷の不足による書込み不良が生じ、維持放電が発生しなくなる。以下、書込み動作の有無にかかわらず維持放電が発生しない放電セルを「不灯セル」と呼称する。しかし、上りランプ電圧Ｌ１を印加する期間、データ電極３２に正の電圧Ｖｄを印加すれば、初期化放電を安定に発生させることができるので、不灯セルの発生を防止することも可能となる。
【００５７】
なお、本発明における強制初期化波形は、何ら上述した波形に限定されるものではない。強制初期化波形は、直前のサブフィールドの動作にかかわらず放電セルに初期化放電を発生する波形であればどのような波形であってもかまわない。また、本発明における非初期化波形も、何ら上述した波形に限定されるものではない。本実施の形態に示す非初期化波形は、初期化期間の前半部で放電セルに初期化放電が発生しない波形の一例を示したものに過ぎず、例えば、初期化期間の前半部を０（Ｖ）にクランプする波形等、初期化期間の前半部で初期化放電が発生しなければどのような波形であってもかまわない。
【００５８】
以上により、所定の走査電極２２（例えば、走査電極ＳＣ（１＋３×Ｎ））に強制初期化波形を印加し、他の走査電極２２に非初期化波形を印加して、特定の放電セルで強制初期化動作を行い、他の放電セルで非初期化動作を行う特定セル初期化サブフィールドの初期化期間における特定セル初期化動作が終了する。
【００５９】
続く書込み期間では、走査電極ＳＣ１〜走査電極ＳＣｎに対しては走査パルス電圧Ｖａを順次印加し、データ電極Ｄ１〜データ電極Ｄｍに対しては発光させるべき放電セルに対応するデータ電極Ｄｋ（ｋ＝１〜ｍ）に正の書込みパルス電圧Ｖｄを印加して、各放電セルに選択的に書込み放電を発生する。
【００６０】
具体的には、まず維持電極ＳＵ１〜維持電極ＳＵｎに第１電圧である正の電圧Ｖｅを、走査電極ＳＣ１〜走査電極ＳＣｎに電圧Ｖｃｃを印加する。
【００６１】
そして、配置的に見て上から１番目（１行目）の走査電極ＳＣ１に負の走査パルス電圧Ｖａを印加するとともに、データ電極Ｄ１〜データ電極Ｄｍのうち１行目に発光させるべき放電セルのデータ電極Ｄｋ（ｋ＝１〜ｍ）に正の書込みパルス電圧Ｖｄを印加する。このときデータ電極Ｄｋ上と走査電極ＳＣ１上との交差部の電圧差は、外部印加電圧の差（電圧Ｖｄ−電圧Ｖａ）にデータ電極Ｄｋ上の壁電圧と走査電極ＳＣ１上の壁電圧との差が加算されたものとなり放電開始電圧を超える。これにより、データ電極Ｄｋと走査電極ＳＣ１との間に放電が発生する。
【００６２】
また、維持電極ＳＵ１〜維持電極ＳＵｎに電圧Ｖｅを印加しているため、維持電極ＳＵ１上と走査電極ＳＣ１上との電圧差は、外部印加電圧の差（電圧Ｖｅ−電圧Ｖａ）に維持電極ＳＵ１上の壁電圧と走査電極ＳＣ１上の壁電圧との差が加算されたものとなる。このとき、電圧Ｖｅを、放電開始電圧をやや下回る程度の電圧値に設定することで、維持電極ＳＵ１と走査電極ＳＣ１との間を、放電には至らないが放電が発生しやすい状態にすることができる。これにより、データ電極Ｄｋと走査電極ＳＣ１との間に発生する放電を引き金にして、データ電極Ｄｋと交差する領域にある維持電極ＳＵ１と走査電極ＳＣ１との間に放電を発生させることができる。
【００６３】
こうして、発光させるべき放電セルに書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。
【００６４】
このようにして、１行目に発光させるべき放電セルで書込み放電を起こして各電極上に壁電圧を蓄積する。一方、書込みパルス電圧Ｖｄを印加しなかったデータ電極Ｄ１〜データ電極Ｄｍと走査電極ＳＣ１との交差部の電圧は放電開始電圧を超えないので、書込み放電は発生しない。以上の書込み動作をｎ行目の放電セルに至るまで順次行い、書込み期間が終了する。
【００６５】
続く維持期間では、輝度重みに所定の輝度倍率を乗じた数の維持パルスを表示電極対２４に交互に印加する。そして、書込み放電を発生した放電セルに維持放電を発生させ、その放電セルを発光させる。
【００６６】
具体的には、まず走査電極ＳＣ１〜走査電極ＳＣｎに正の維持パルス電圧Ｖｓを印加するとともに維持電極ＳＵ１〜維持電極ＳＵｎにベース電位となる接地電位、すなわち０（Ｖ）を印加する。すると書込み放電を起こした放電セルでは、走査電極ＳＣｉ上と維持電極ＳＵｉ上との電圧差が、維持パルス電圧Ｖｓに、走査電極ＳＣｉ上の壁電圧と維持電極ＳＵｉ上の壁電圧との差が加算されたものとなり、放電開始電圧を超える。
【００６７】
そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。書込み期間において書込み放電が起きなかった放電セルでは維持放電は発生しない。
【００６８】
続いて、走査電極ＳＣ１〜走査電極ＳＣｎにはベース電位となる０（Ｖ）を、維持電極ＳＵ１〜維持電極ＳＵｎには維持パルス電圧Ｖｓをそれぞれ印加する。すると、維持放電を起こした放電セルでは、維持電極ＳＵｉ上と走査電極ＳＣｉ上との電圧差が放電開始電圧を超えるので、再び維持電極ＳＵｉと走査電極ＳＣｉとの間に維持放電が起こり、維持電極ＳＵｉ上に負の壁電圧が蓄積され、走査電極ＳＣｉ上に正の壁電圧が蓄積される。以降同様に、走査電極ＳＣ１〜走査電極ＳＣｎと維持電極ＳＵ１〜維持電極ＳＵｎとに、輝度重みに輝度倍率を乗じた数の維持パルスを交互に印加し、表示電極対２４の電極間に電位差を与える。これにより、書込み期間において書込み放電を起こした放電セルで維持放電が継続して発生する。
【００６９】
そして、維持期間における維持パルスの発生後に、維持電極ＳＵ１〜維持電極ＳＵｎおよびデータ電極Ｄ１〜データ電極Ｄｍには０（Ｖ）を印加したまま、走査電極ＳＣ１〜走査電極ＳＣｎに、０（Ｖ）から放電開始電圧を超える電圧Ｖｅｒｓに向かって緩やかに（例えば、約１０Ｖ／μｓｅｃの勾配で）上昇する傾斜電圧（以下、「消去ランプ電圧Ｌ３」と呼称する）を印加する。これにより、維持放電を起こした放電セルの維持電極ＳＵｉと走査電極ＳＣｉとの間に、微弱な放電が持続して発生する。そして、この微弱な放電で発生した荷電粒子は、維持電極ＳＵｉと走査電極ＳＣｉとの間の電圧差を緩和するように、維持電極ＳＵｉ上および走査電極ＳＣｉ上に壁電荷となって蓄積されていく。これにより、データ電極Ｄｋ上の正の壁電圧を残したまま、走査電極ＳＣｉ上の壁電圧および維持電極ＳＵｉ上の壁電圧は、走査電極ＳＣｉに印加した電圧と放電開始電圧の差、例えば（電圧Ｖｅｒｓ−放電開始電圧）の程度まで弱められる。
【００７０】
その後、走査電極ＳＣ１〜走査電極ＳＣｎに印加する電圧を０（Ｖ）に戻し、維持期間における維持動作が終了する。
【００７１】
次に、選択初期化サブフィールドである第２ＳＦについて説明する。
【００７２】
第２ＳＦの初期化期間では、選択初期化波形を全ての走査電極２２に印加する。本実施の形態における選択初期化波形は、強制初期化波形の前半部を省略した駆動電圧波形である。具体的には、維持電極ＳＵ１〜維持電極ＳＵｎには電圧Ｖｅを、データ電極Ｄ１〜データ電極Ｄｍには０（Ｖ）をそれぞれ印加する。そして、走査電極ＳＣ１〜走査電極ＳＣｎには放電開始電圧未満となる電圧（例えば、０（Ｖ））から負の電圧Ｖｉ４に向かって、下りランプ電圧Ｌ２と同じ勾配で下降する下りランプ電圧Ｌ４を印加する。
【００７３】
これにより直前のサブフィールド（図３では、第１ＳＦ）の維持期間で維持放電を起こした放電セルでは微弱な初期化放電が発生し、走査電極ＳＣｉ上部および維持電極ＳＵｉ上部の壁電圧が弱められ、データ電極Ｄｋ（ｋ＝１〜ｍ）上部の壁電圧も書込み動作に適した値に調整される。
【００７４】
以上の波形が、直前のサブフィールドの維持期間に維持放電を発生した放電セルだけに初期化放電を発生する選択初期化波形である。そして、選択初期化波形を全ての走査電極２２に印加して行う上述の動作が選択初期化動作である。
【００７５】
以上により、選択初期化サブフィールドの初期化期間における選択初期化動作が終了する。
【００７６】
なお、本発明における選択初期化波形は、何ら上述した波形に限定されるものではない。選択初期化波形は、直前のサブフィールドの維持期間に維持放電を発生した放電セルだけに初期化放電を発生する波形であればどのような波形であってもかまわない。例えば、本実施の形態では、下りランプ電圧Ｌ４を全て同じ勾配で発生する構成を説明したが、下りランプ電圧Ｌ４を複数の期間に分け、各期間で勾配を変えて下りランプ電圧Ｌ４を発生する構成としてもよい。
【００７７】
第２ＳＦの書込み期間では、第１ＳＦの書込み期間と同様の駆動電圧波形を各電極に印加する。また、第２ＳＦの維持期間では、維持パルスの発生数を除き、第１ＳＦの維持期間と同様の駆動電圧波形を各電極に印加する。
【００７８】
また、第３ＳＦ以降のサブフィールドでは、維持期間における維持パルスの発生数を除き、第２ＳＦと同様の駆動電圧波形を各電極に印加する。
【００７９】
なお、電圧Ｖｄの電圧値を大きくすれば、上りランプ電圧Ｌ１を走査電極２２に印加して行う初期化動作をより安定にし、初期化輝点および不灯セルの発生を防止する効果を高めることができる。そのため、電圧Ｖｄの電圧値はできるだけ高くすることが望ましい。
【００８０】
しかし、電圧Ｖｄの電圧値を高くすると、電圧Ｖｄを印加するときに、放電セル内に不要な放電が発生することがある。そして、電圧Ｖｄの電圧値を高くするほど、この不要な放電が発生する可能性は高まる。
【００８１】
この不要な放電は、放電セル内に残留する壁電荷を大きく減少させる。また、非初期化動作を行う放電セル（図３に示す例では、例えば走査電極ＳＣ２、走査電極ＳＣｎ上に形成される放電セル）では強制初期化動作が行われないので、上述の壁電荷が、初期化されないまま、続く書込み動作に使用されることがある。したがって、非初期化動作を行う放電セルでこの不要な放電が発生すると、書込み動作に必要な壁電荷が大きく減少した状態で、続く書込み動作（例えば、第１ＳＦの書込み期間における書込み動作）が行われることになる。そのため、その放電セルでは、壁電荷が不足したまま書込み動作が行われることになり、書込み不良が発生して不灯セルとなるおそれがある。
【００８２】
そこで、本実施の形態では、電圧Ｖｄをデータ電極３２に印加するときに、不要な放電を発生しないように、所定のサブフィールドにおいて、すなわち、上りランプ電圧Ｌ１による強制初期化動作を行うサブフィールドの直前のサブフィールドにおいて、維持電極２３−データ電極３２間に微弱な放電を発生させるものとする。
【００８３】
具体的には、特定セル初期化サブフィールド（本実施の形態では、第１ＳＦ）の直前のサブフィールド（本実施の形態では、第８ＳＦ）において、走査パルスを全ての走査電極２２に印加し終えた後で、かつ維持パルスを表示電極対２４に印加する前に、走査電極ＳＣ１〜走査電極ＳＣｎに０（Ｖ）を印加し、維持電極ＳＵ１〜維持電極ＳＵｎには第１電圧である正の電圧Ｖｅからベース電位である接地電位まで緩やかに（例えば、約−２．５Ｖ／μｓｅｃの勾配で）下降する下りランプ電圧Ｌ５を印加するものとする。そして、維持電極ＳＵ１〜維持電極ＳＵｎに下りランプ電圧Ｌ５を印加する期間、データ電極Ｄ１〜データ電極Ｄｍには第２電圧である正の電圧Ｖｄを印加するものとする。
【００８４】
これにより、維持電極ＳＵ１〜維持電極ＳＵｎとデータ電極Ｄ１〜データ電極Ｄｍとの間で微弱な放電が起こる。そして、この微弱な放電により、維持電極ＳＵ１〜維持電極ＳＵｎとデータ電極Ｄ１〜データ電極Ｄｍとの間の電位差を打ち消すようにデータ電極Ｄ１〜データ電極Ｄｍ上部に負の壁電圧が蓄積される。
【００８５】
したがって、続く特定セル初期化サブフィールドの初期化期間において電圧Ｖｄをデータ電極Ｄ１〜データ電極Ｄｍに印加するときに、データ電極Ｄ１〜データ電極Ｄｍ上部の電圧は、そこに蓄積された負の壁電圧の分だけ低下することになる。これにより、電圧Ｖｄをデータ電極Ｄ１〜データ電極Ｄｍに印加するときに発生する不要な放電を抑制することが可能となる。
【００８６】
以上が、本実施の形態におけるパネル１０の各電極に印加する駆動電圧波形の概要である。
【００８７】
なお、本実施の形態では、第２電圧と第３電圧とが互いに等しい電圧（電圧Ｖｄ）である構成を説明したが、第２電圧と第３電圧とは互いに異なる電圧であってもよい。
【００８８】
次に、本実施の形態におけるプラズマディスプレイ装置の構成について説明する。図４は、本発明の実施の形態１におけるプラズマディスプレイ装置１の回路ブロック図である。プラズマディスプレイ装置１は、パネル１０、画像信号処理回路４１、データ電極駆動回路４２、走査電極駆動回路４３、維持電極駆動回路４４、タイミング発生回路４５、および各回路ブロックに必要な電源を供給する電源回路（図示せず）を備えている。
【００８９】
画像信号処理回路４１は、パネル１０の画素数に応じて、入力された画像信号ｓｉｇをサブフィールド毎の発光・非発光を示すサブフィールドデータに変換する。
【００９０】
タイミング発生回路４５は、水平同期信号Ｈおよび垂直同期信号Ｖにもとづき、各回路ブロックの動作を制御する各種のタイミング信号を発生し、それぞれの回路ブロック（画像信号処理回路４１、データ電極駆動回路４２、走査電極駆動回路４３および維持電極駆動回路４４）へ供給する。
【００９１】
データ電極駆動回路４２は、サブフィールド毎のサブフィールドデータを各データ電極Ｄ１〜データ電極Ｄｍに対応する信号に変換し、タイミング発生回路４５から供給されるタイミング信号にもとづいて各データ電極Ｄ１〜データ電極Ｄｍを駆動する。
【００９２】
走査電極駆動回路４３は、初期化期間において走査電極ＳＣ１〜走査電極ＳＣｎに印加する初期化波形を発生する初期化波形発生回路、維持期間において走査電極ＳＣ１〜走査電極ＳＣｎに印加する維持パルスを発生する維持パルス発生回路、複数の走査電極駆動ＩＣ（以下、「走査ＩＣ」と略記する）を備え書込み期間において走査電極ＳＣ１〜走査電極ＳＣｎに印加する走査パルスを発生する走査パルス発生回路を有する。そして、タイミング発生回路４５から供給されるタイミング信号にもとづいて各走査電極ＳＣ１〜走査電極ＳＣｎを駆動する。
【００９３】
維持電極駆動回路４４は、維持パルス発生回路および電圧Ｖｅを発生する回路を備え、タイミング発生回路４５から供給されるタイミング信号にもとづいて維持電極ＳＵ１〜維持電極ＳＵｎを駆動する。
【００９４】
次に、走査電極駆動回路４３の詳細とその動作について説明する。
【００９５】
図５は、本発明の実施の形態１におけるプラズマディスプレイ装置１の走査電極駆動回路４３の一構成例を示す回路図である。走査電極駆動回路４３は、維持パルスを発生する維持パルス発生回路５０、初期化波形を発生する初期化波形発生回路５１、走査パルスを発生する走査パルス発生回路５２を備える。走査パルス発生回路５２の各出力端子はパネル１０の走査電極ＳＣ１〜走査電極ＳＣｎのそれぞれに接続されている。なお、本実施の形態では、走査パルス発生回路５２に入力される電圧を「基準電位Ａ」と記す。また、以下の説明において、スイッチング素子を導通する動作を「オン」、遮断する動作を「オフ」と表記し、スイッチング素子をオンする信号を「Ｈｉ」、オフする信号を「Ｌｏ」と表記する。
【００９６】
また、図５には、負の電圧Ｖａを用いた回路（例えば、ミラー積分回路５４）を動作させているときに、その回路と、維持パルス発生回路５０、電圧Ｖｒを用いた回路（例えば、ミラー積分回路５３）、および電圧Ｖｅｒｓを用いた回路（例えば、ミラー積分回路５５）とを電気的に分離するためのスイッチング素子Ｑ７を用いた分離回路を示している。また、電圧Ｖｒを用いた回路（例えば、ミラー積分回路５３）を動作させているときに、その回路と、電圧Ｖｒよりも低い電圧の電圧Ｖｅｒｓを用いた回路（例えば、ミラー積分回路５５）とを電気的に分離するためのスイッチング素子Ｑ６を用いた分離回路を示している。
【００９７】
維持パルス発生回路５０は、一般に用いられている電力回収回路とクランプ回路とを備える。そして、タイミング発生回路４５から出力されるタイミング信号にもとづき、内部に備えた各スイッチング素子を切換えて維持パルスを発生する。なお、図５では、タイミング信号の信号経路の詳細は省略する。
【００９８】
走査パルス発生回路５２は、ｎ本の走査電極ＳＣ１〜走査電極ＳＣｎのそれぞれに走査パルスを印加するためのスイッチング素子ＱＨ１〜スイッチング素子ＱＨｎおよびスイッチング素子ＱＬ１〜スイッチング素子ＱＬｎを備えている。スイッチング素子ＱＨｊ（ｊ＝１〜ｎ）の一方の端子とスイッチング素子ＱＬｊの一方の端子とは互いに接続されており、その接続箇所が走査パルス発生回路５２の出力端子となって、走査電極ＳＣｊに接続されている。また、スイッチング素子ＱＨｊの他方の端子は入力端子ＩＮｂとなっており、スイッチング素子ＱＬｊの他方の端子は入力端子ＩＮａとなっている。なお、スイッチング素子ＱＨ１〜スイッチング素子ＱＨｎ、スイッチング素子ＱＬ１〜スイッチング素子ＱＬｎは複数の出力毎にまとめられＩＣ化されている。このＩＣが走査ＩＣである。
【００９９】
また、走査パルス発生回路５２は、書込み期間において基準電位Ａを負の電圧Ｖａに接続するためのスイッチング素子Ｑ５と、基準電位Ａに電圧Ｖｓｃを重畳した電圧Ｖｃを発生するための電源ＶＳＣ、ダイオードＤｉ３１、コンデンサＣ３１とを備えている。そして、スイッチング素子ＱＨ１〜スイッチング素子ＱＨｎの入力端子ＩＮｂには電圧Ｖｃが接続され、スイッチング素子ＱＬ１〜スイッチング素子ＱＬｎの入力端子ＩＮａには基準電位Ａが接続されている。
【０１００】
このように構成された走査パルス発生回路５２では、書込み期間においては、スイッチング素子Ｑ５をオンにして基準電位Ａを負の電圧Ｖａに等しくし、入力端子ＩＮａには負の電圧Ｖａを印加する。また、入力端子ＩＮｂには、電圧Ｖａ＋電圧Ｖｓｃとなった電圧Ｖｃ（図３に示す電圧Ｖｃｃ）を印加する。そして、サブフィールドデータにもとづき、走査パルスを印加する走査電極ＳＣｉに対しては、スイッチング素子ＱＨｉをオフ、スイッチング素子ＱＬｉをオンにすることで、スイッチング素子ＱＬｉを経由して走査電極ＳＣｉに負の走査パルス電圧Ｖａを印加する。走査パルスを印加しない走査電極ＳＣｈ（ｈは、１〜ｎのうちｉを除いたもの）に対しては、スイッチング素子ＱＬｈをオフ、スイッチング素子ＱＨｈをオンにすることで、スイッチング素子ＱＨｈを経由して走査電極ＳＣｈに電圧Ｖａ＋電圧Ｖｓｃを印加する。
【０１０１】
また、走査パルス発生回路５２は、維持期間においては、維持パルス発生回路５０の電圧波形を出力するようにタイミング発生回路４５によって制御されるものとする。
【０１０２】
なお、走査パルス発生回路５２の初期化期間における動作の詳細は後述する。
【０１０３】
初期化波形発生回路５１は、ミラー積分回路５３、ミラー積分回路５４、およびミラー積分回路５５を有する。図５には、ミラー積分回路５３の入力端子を入力端子ＩＮ１、ミラー積分回路５４の入力端子を入力端子ＩＮ２、ミラー積分回路５５の入力端子を入力端子ＩＮ３として示している。なお、ミラー積分回路５３およびミラー積分回路５５は上昇する傾斜電圧を発生する傾斜電圧発生回路であり、ミラー積分回路５４は下降する傾斜電圧を発生する傾斜電圧発生回路である。
【０１０４】
ミラー積分回路５３は、スイッチング素子Ｑ１とコンデンサＣ１と抵抗Ｒ１とを有する。そして、初期化動作時に、走査電極駆動回路４３の基準電位Ａを電圧Ｖｉ２’までランプ状に緩やかに（例えば、０．５Ｖ／μｓｅｃで）上昇させて上りランプ電圧Ｌ１’を発生する。
【０１０５】
ミラー積分回路５５は、スイッチング素子Ｑ３とコンデンサＣ３と抵抗Ｒ３とを有する。そして、維持期間の最後に、基準電位Ａを上りランプ電圧Ｌ１よりも急峻な勾配（例えば、１０Ｖ／μｓｅｃ）で電圧Ｖｅｒｓまで上昇させて消去ランプ電圧Ｌ３を発生する。
【０１０６】
ミラー積分回路５４は、スイッチング素子Ｑ２とコンデンサＣ２と抵抗Ｒ２とを有する。そして、初期化動作時に、基準電位Ａを電圧Ｖｉ４までランプ状に緩やかに（例えば、−０．５Ｖ／μｓｅｃの勾配で）下降させて下りランプ電圧Ｌ２および下りランプ電圧Ｌ４を発生する。
【０１０７】
図６は、本発明の実施の形態１におけるプラズマディスプレイ装置１の維持電極駆動回路４４の一構成例を示す回路図である。なお、図６にはパネル１０の電極間容量をＣｐとして示し、走査電極駆動回路４３の回路図は省略している。
【０１０８】
維持電極駆動回路４４は、維持パルス発生回路５０とほぼ同様の構成の維持パルス発生回路８０を備え、パネル１０の維持電極ＳＵ１〜維持電極ＳＵｎに接続されている。そして、維持パルス発生回路８０は、タイミング発生回路４５から出力されるタイミング信号にもとづき、内部に備えた各スイッチング素子を切換えて維持パルスを発生する。なお、図６では、タイミング信号の信号経路の詳細は省略する。
【０１０９】
また、維持電極駆動回路４４は、電圧Ｖｅを発生する電源ＶＥと、電圧Ｖｅを維持電極ＳＵ１〜維持電極ＳＵｎに印加するためのスイッチング素子Ｑ２６およびスイッチング素子Ｑ２７と、逆流防止用のダイオードＤｉ３０とを有する。
【０１１０】
また、維持電極駆動回路４４は、下降する傾斜電圧を発生する傾斜電圧発生回路であるミラー積分回路５６を有する。図６には、ミラー積分回路５６の入力端子を入力端子ＩＮ４として示している。ミラー積分回路５６は、スイッチング素子Ｑ４とコンデンサＣ４と抵抗Ｒ４とを有する。
【０１１１】
そして、維持電極駆動回路４４は、タイミング信号にもとづき、走査パルスを走査電極ＳＣ１〜走査電極ＳＣｎに印加する期間はスイッチング素子Ｑ２６およびスイッチング素子Ｑ２７をオンにして、第１電圧である電圧Ｖｅを維持電極ＳＵ１〜維持電極ＳＵｎに印加する。
【０１１２】
走査パルスを走査電極ＳＣ１〜走査電極ＳＣｎの全てに印加し終えた後は、スイッチング素子Ｑ２６およびスイッチング素子Ｑ２７をオフにするとともにミラー積分回路５６の入力端子ＩＮ４を「Ｈｉ」にする。具体的には入力端子ＩＮ４に、所定の定電流を入力する。このとき、傾斜電圧の勾配が所望の値（例えば、−２．５Ｖ／μｓｅｃ）になるように、入力端子ＩＮ４に入力する定電流を発生する。これにより、コンデンサＣ４に向かって一定の電流が流れ、スイッチング素子Ｑ４のドレイン電圧がランプ状に下降し始め、維持電極ＳＵ１〜維持電極ＳＵｎの電圧が、電圧Ｖｅからベース電位である接地電位に向かってランプ状に（例えば、−２．５Ｖ／μｓｅｃの勾配で）下降し始める。そして、維持電極ＳＵ１〜維持電極ＳＵｎの電圧が接地電位に到達するまで入力端子ＩＮ４を「Ｈｉ」に維持し、この電圧の下降を継続する。本実施の形態では、このようにして、下りランプ電圧Ｌ５を発生する。
【０１１３】
なお、下りランプ電圧Ｌ５を発生する構成は、何ら図６に示す構成に限定されるものではない。維持電極ＳＵ１〜維持電極ＳＵｎに印加する電圧を所望の勾配でランプ状に下降することができれば、どのような構成であってもかまわない。
【０１１４】
図７は、本発明の実施の形態１におけるプラズマディスプレイ装置１のデータ電極駆動回路４２の一構成例を示す回路図である。
【０１１５】
データ電極駆動回路４２は、スイッチング素子Ｑ１Ｄ１〜スイッチング素子Ｑ１Ｄｍおよびスイッチング素子Ｑ２Ｄ１〜スイッチング素子Ｑ２Ｄｍを有している。スイッチング素子Ｑ１Ｄｇ（ｇ＝１〜ｍ）の一方の端子とスイッチング素子Ｑ２Ｄｇの一方の端子とは互いに接続されており、その接続箇所がデータ電極駆動回路４２の出力端子となって、データ電極Ｄｇに接続されている。そして、スイッチング素子Ｑ１Ｄｇの他方の端子は電圧Ｖｄを発生する電源ＶＤに接続され、スイッチング素子Ｑ２Ｄｇの他方の端子は接地電位に接続されている。なお、図７には、スイッチング素子Ｑ１Ｄｇとスイッチング素子Ｑ２Ｄｇとのそれぞれに共通した入力端子を端子ＩＮＤｇとして示している。また、図７では、タイミング信号の信号経路の詳細は省略する。
【０１１６】
そして、データ電極駆動回路４２は、タイミング信号にもとづき、書込み期間においては、スイッチング素子Ｑ１Ｄｋをオンにし、スイッチング素子Ｑ２Ｄｋをオフにして、データ電極Ｄｋに書込みパルス電圧Ｖｄを印加する。また、下りランプ電圧Ｌ５を維持電極ＳＵ１〜維持電極ＳＵｎに印加する期間は、スイッチング素子Ｑ１Ｄ１〜スイッチング素子Ｑ１Ｄｍをオンにし、スイッチング素子Ｑ２Ｄ１〜スイッチング素子Ｑ２Ｄｍをオフにして、データ電極Ｄ１〜データ電極Ｄｍに電圧Ｖｄを印加する。
【０１１７】
次に、特定セル初期化サブフィールドの初期化期間において、強制初期化波形および非初期化波形を発生する動作を図８を用いて説明する。
【０１１８】
図８は、本発明の実施の形態１における特定セル初期化サブフィールドの初期化期間の走査電極駆動回路４３の動作の一例を説明するためのタイミングチャートである。なお、この図面では、強制初期化波形を印加する走査電極２２を「走査電極ＳＣｘ」と表し、非初期化波形を印加する走査電極２２を「走査電極ＳＣｙ」と表す。
【０１１９】
なお、選択初期化サブフィールドにおいて選択初期化波形を発生するときの走査電極駆動回路４３の動作については説明を省略するが、選択初期化波形である下りランプ電圧Ｌ４を発生する動作は、図８に示す下りランプ電圧Ｌ２を発生する動作と同様である。また、非初期化サブフィールドにおける非初期化動作は、初期化期間に非初期化波形を発生して全ての走査電極２２に印加する動作であるので、非初期化サブフィールドの初期化期間における走査電極駆動回路４３の動作についても説明を省略する。
【０１２０】
また、図８では、初期化期間を期間Ｔ１〜期間Ｔ４で示す４つの期間に分割し、それぞれの期間について説明する。また、以下、電圧Ｖｉ１は電圧Ｖｓｃに等しいものとし、電圧Ｖｉ２は電圧Ｖｓｃ＋電圧Ｖｒに等しいものとし、電圧Ｖｉ２’は電圧Ｖｒに等しいものとし、電圧Ｖｉ３は維持パルスを発生するときに用いる電圧Ｖｓに等しいものとし、電圧Ｖｉ４は負の電圧Ｖａに等しいものとして説明する。また、図面にはスイッチング素子をオンする信号を「Ｈｉ」、オフする信号を「Ｌｏ」と表記する。
【０１２１】
なお、図８には、電圧Ｖｓが電圧Ｖｓｃよりも高い電圧値に設定された例を示しているが、電圧Ｖｓと電圧Ｖｓｃとが互いに等しい電圧値であってもよく、あるいは、電圧Ｖｓの方が電圧Ｖｓｃよりも低い電圧値であってもかまわない。
【０１２２】
まず、期間Ｔ１に入る前に維持パルス発生回路５０のクランプ回路を動作させて基準電位Ａを０（Ｖ）にしておき、スイッチング素子ＱＨ１〜スイッチング素子ＱＨｎをオフ、スイッチング素子ＱＬ１〜スイッチング素子ＱＬｎをオンにして、走査電極ＳＣ１〜走査電極ＳＣｎに基準電位Ａ、すなわち０（Ｖ）を印加する。
【０１２３】
（期間Ｔ１）
期間Ｔ１では、走査電極ＳＣｘに接続されたスイッチング素子ＱＨｘをオンにし、スイッチング素子ＱＬｘをオフにする。これにより、強制初期化波形を印加する走査電極ＳＣｘには、基準電位Ａ（このとき、０（Ｖ））に電圧Ｖｓｃを重畳した電圧Ｖｃ（すなわち、電圧Ｖｃ＝電圧Ｖｓｃ）を印加する。
【０１２４】
一方、走査電極ＳＣｙに接続されたスイッチング素子ＱＨｙはオフを、スイッチング素子ＱＬｙはオンをそれぞれ維持したままにする。これにより、非初期化波形を印加する走査電極ＳＣｙには、基準電位Ａ、すなわち０（Ｖ）を印加する。
【０１２５】
（期間Ｔ２）
期間Ｔ２では、スイッチング素子ＱＨ１〜スイッチング素子ＱＨｎ、スイッチング素子ＱＬ１〜スイッチング素子ＱＬｎは、期間Ｔ１と同じ状態を維持する。すなわち、走査電極ＳＣｘに接続されたスイッチング素子ＱＨｘはオンを、スイッチング素子ＱＬｘはオフをそれぞれ維持し、走査電極ＳＣｙに接続されたスイッチング素子ＱＨｙはオフを、スイッチング素子ＱＬｙはオンをそれぞれ維持する。
【０１２６】
次に、上りランプ電圧Ｌ１’を発生するミラー積分回路５３の入力端子ＩＮ１を「Ｈｉ」にする。具体的には入力端子ＩＮ１に、所定の定電流を入力する。これにより、コンデンサＣ１に向かって一定の電流が流れ、スイッチング素子Ｑ１のソース電圧がランプ状に上昇し、基準電位Ａが０（Ｖ）からランプ状に上昇し始める。この電圧上昇は、入力端子ＩＮ１を「Ｈｉ」にしている期間、もしくは、基準電位Ａが電圧Ｖｒに到達するまで継続させることができる。
【０１２７】
このとき、傾斜電圧の勾配が所望の値（例えば、０．５Ｖ／μｓｅｃ）になるように、入力端子ＩＮ１に入力する定電流を発生する。こうして、０（Ｖ）から電圧Ｖｉ２’（本実施の形態では、電圧Ｖｒに等しい）に向かって上昇する上りランプ電圧Ｌ１’を発生する。
【０１２８】
スイッチング素子ＱＨｙはオフ、スイッチング素子ＱＬｙはオンなので、走査電極ＳＣｙには、この上りランプ電圧Ｌ１’がそのまま印加される。
【０１２９】
一方、スイッチング素子ＱＨｘはオン、スイッチング素子ＱＬｘはオフなので、走査電極ＳＣｘには、この上りランプ電圧Ｌ１’に電圧Ｖｓｃが重畳された電圧、すなわち電圧Ｖｉ１（本実施の形態では、電圧Ｖｓｃに等しい）から電圧Ｖｉ２（本実施の形態では、電圧Ｖｓｃ＋電圧Ｖｒに等しい）に向かって上昇する上りランプ電圧Ｌ１が印加される。
【０１３０】
（期間Ｔ３）
期間Ｔ３では入力端子ＩＮ１を「Ｌｏ」にする。具体的には、入力端子ＩＮ１への定電流入力を停止する。こうして、ミラー積分回路５３の動作を停止する。また、スイッチング素子ＱＨ１〜スイッチング素子ＱＨｎをオフ、スイッチング素子ＱＬ１〜スイッチング素子ＱＬｎをオンにして、基準電位Ａを走査電極ＳＣ１〜走査電極ＳＣｎに印加する。合わせて、維持パルス発生回路５０のクランプ回路を動作させて基準電位Ａを電圧Ｖｓにする。これにより、走査電極ＳＣ１〜走査電極ＳＣｎの電圧は電圧Ｖｉ３（本実施の形態では、電圧Ｖｓに等しい）まで低下する。
【０１３１】
（期間Ｔ４）
期間Ｔ４では、スイッチング素子ＱＨ１〜スイッチング素子ＱＨｎ、スイッチング素子ＱＬ１〜スイッチング素子ＱＬｎは、期間Ｔ３と同じ状態を維持する。
【０１３２】
次に、下りランプ電圧Ｌ２を発生するミラー積分回路５４の入力端子ＩＮ２を「Ｈｉ」にする。具体的には入力端子ＩＮ２に、所定の定電流を入力する。これにより、コンデンサＣ２に向かって一定の電流が流れ、スイッチング素子Ｑ２のドレイン電圧がランプ状に下降し始め、走査電極駆動回路４３の出力電圧も、負の電圧Ｖｉ４に向かってランプ状に下降し始める。この電圧下降は、入力端子ＩＮ２を「Ｈｉ」にしている期間、もしくは、基準電位Ａが電圧Ｖａに到達するまで継続させることができる。
【０１３３】
このとき、傾斜電圧の勾配が所望の値（例えば、−０．５Ｖ／μｓｅｃ）になるように、入力端子ＩＮ２に入力する定電流を発生する。
【０１３４】
そして、走査電極駆動回路４３の出力電圧が負の電圧Ｖｉ４（本実施の形態では、電圧Ｖａに等しい）に到達したら、入力端子ＩＮ２を「Ｌｏ」にする。具体的には、入力端子ＩＮ２への定電流入力を停止する。こうして、ミラー積分回路５４の動作を停止する。
【０１３５】
こうして、電圧Ｖｉ３（本実施の形態では、電圧Ｖｓに等しい）から負の電圧Ｖｉ４に向かって下降する下りランプ電圧Ｌ２を発生し、走査電極ＳＣ１〜走査電極ＳＣｎに印加する。
【０１３６】
なお、入力端子ＩＮ２を「Ｌｏ」にしてミラー積分回路５４の動作を停止したら、スイッチング素子Ｑ５をオンにして、基準電位Ａを電圧Ｖａにする。合わせて、スイッチング素子ＱＨ１〜スイッチング素子ＱＨｎをオン、スイッチング素子ＱＬ１〜スイッチング素子ＱＬｎをオフにする。こうして、基準電位Ａに電圧Ｖｓｃを重畳した電圧Ｖｃ、すなわち、電圧Ｖｃｃ（本実施の形態では、電圧Ｖａ＋電圧Ｖｓｃに等しい）を走査電極ＳＣ１〜走査電極ＳＣｎに印加し、続く書込み期間に備える。
【０１３７】
本実施の形態では、このようにして、特定セル初期化サブフィールドの初期化期間において、強制初期化波形および非初期化波形を発生する。そして、スイッチング素子ＱＨ１〜スイッチング素子ＱＨｎと、スイッチング素子ＱＬ１〜スイッチング素子ＱＬｎとを制御することで、強制初期化波形を走査電極ＳＣｘに印加し、非初期化波形を走査電極ＳＣｙに印加する、というように、強制初期化波形および非初期化波形を選択的に走査電極２２に印加することができる。また、同様にして、非初期化サブフィールドの初期化期間においては非初期化波形だけを発生して全ての走査電極２２に印加することができる。
【０１３８】
なお、下りランプ電圧Ｌ２、下りランプ電圧Ｌ４は、図８に示すように電圧Ｖａまで下降する構成であってもよいが、例えば、下降する電圧が、電圧Ｖａに電圧Ｖｓｅｔ２を重畳した電圧に到達した時点で、下降を停止する構成としてもよい。また、下りランプ電圧Ｌ２および下りランプ電圧Ｌ４は、あらかじめ設定された電圧に到達した後、直ちに上昇する構成であってもよいが、例えば、下降する電圧が、あらかじめ設定された低電圧に到達したら、その後、その電圧を一定期間維持する構成であってもよい。
【０１３９】
図９は、本発明の実施の形態１における強制初期化波形および非初期化波形の発生パターンの一例を示す図である。図９には、各放電セルで強制初期化動作を行う頻度を６フィールドに１回とするときの強制初期化波形および非初期化波形の発生パターンの一例を示す。図９において、横軸はフィールドを、縦軸は走査電極２２を表す。また、図９に示す例では、第１ＳＦを上述した特定セル初期化サブフィールドまたは非初期化サブフィールドとし、残りのサブフィールド（第２ＳＦ〜第８ＳＦ）を、上述した選択初期化サブフィールドとする。
【０１４０】
また、図９に示す「○」は、第１ＳＦの初期化期間において強制初期化動作を行うことを表す。すなわち、図８に示した上りランプ電圧Ｌ１と下りランプ電圧Ｌ２とを有する強制初期化波形を走査電極２２に印加することを表す。図９に示す「×」は、第１ＳＦの初期化期間において上述した非初期化動作を行うことを表す。すなわち、図８に示した上りランプ電圧Ｌ１’と下りランプ電圧Ｌ２とを有する非初期化波形を走査電極２２に印加することを表す。
【０１４１】
以下、走査電極ＳＣｉ〜走査電極ＳＣｉ＋２、およびｊフィールド〜ｊ＋５フィールドを例に挙げて説明を行う。
【０１４２】
まず、ｊフィールドの第１ＳＦでは、走査電極ＳＣｉに強制初期化波形を印加し、走査電極ＳＣｉ＋１および走査電極ＳＣｉ＋２には非初期化波形を印加する。
【０１４３】
続くｊ＋１フィールドの第１ＳＦでは、全ての走査電極２２に非初期化波形を印加する。
【０１４４】
続くｊ＋２フィールドの第１ＳＦでは、走査電極ＳＣｉ＋１に強制初期化波形を印加し、走査電極ＳＣｉおよび走査電極ＳＣｉ＋２には非初期化波形を印加する。
【０１４５】
続くｊ＋３フィールドの第１ＳＦでは、全ての走査電極２２に非初期化波形を印加する。
【０１４６】
続くｊ＋４フィールドの第１ＳＦでは、走査電極ＳＣｉ＋２に強制初期化波形を印加し、走査電極ＳＣｉおよび走査電極ＳＣｉ＋１には非初期化波形を印加する。
【０１４７】
続くｊ＋５フィールドの第１ＳＦでは、全ての走査電極２２に非初期化波形を印加する。
【０１４８】
こうして、走査電極ＳＣｉ〜走査電極ＳＣｉ＋２における繰り返し動作の１つを終了する。他の走査電極２２に対しても、上述と同様の動作を行い、これ以降においても、各フィールドで上述と同様の動作を繰り返す。なお、図９に示す構成においては、ｊフィールド、ｊ＋２フィールド、ｊ＋４フィールド、・・・、は特定セル初期化フィールドとなり、ｊ＋１フィールド、ｊ＋３フィールド、ｊ＋５フィールド、・・・、は非初期化フィールドとなる。
【０１４９】
このように、図９に示す例では、各放電セルで強制初期化動作を行う回数が、６フィールドに１回となるように強制初期化波形および非初期化波形を選択的に発生してパネル１０を駆動する。これにより、フィールド毎に全ての放電セルで強制初期化動作を行う構成と比較して、各放電セルで強制初期化動作を行う頻度を低減することができる。図９に示す例では、６分の１に低減することができる。これにより、表示画像の黒輝度を低減することができる。
【０１５０】
また、図９に示す構成、すなわち、強制初期化波形を印加する走査電極２２の数がそれぞれの特定セル初期化サブフィールドで互いに等しくなるように強制初期化波形を発生する構成では、例えば、６フィールドのうちの１つのフィールドでは全ての放電セルに強制初期化動作を行い、残りの５つのフィールドでは全ての放電セルに非初期化動作を行う構成と比較して、「フリッカー」と呼ばれる細かいちらつきが表示画像に発生するのを低減することができる。
【０１５１】
６フィールドのうちの１つのフィールドでは全ての放電セルに強制初期化動作を行い、残りの５つのフィールドでは全ての放電セルに非初期化動作を行う構成でも、各放電セルで強制初期化動作を行う頻度は６フィールドに１回となる。しかし、この構成では、パネル１０の全ての放電セルが、強制初期化動作による放電によって、６フィールドに１回ずつ発光することになる。そのため、例えば、６０フィールド／秒の周期で更新される画像をパネル１０に表示すると、パネル１０の画像表示面において、１０フィールド／秒の周期の輝度の変化が発生することになる。この周期的な輝度の変化は、表示画像における細かいちらつき、すなわちフリッカーとして使用者に認識されるおそれがある。
【０１５２】
しかし、本実施の形態では、強制初期化波形を印加する走査電極２２の数がそれぞれの特定セル初期化サブフィールドで互いに等しくなるように強制初期化波形を発生している。そのため、強制初期化動作による初期化放電を各フィールドに分散することができる。これにより、表示画像におけるフリッカーの発生を低減することができる。
【０１５３】
なお、上述した「等しくなるように」という表現は、厳密に等しいことを意味するのではなく、実質的に「等しい」ことを表しており、多少のばらつきは許容されるものとする。
【０１５４】
以上示したように、本実施の形態では、走査パルスを全ての走査電極２２に印加し終えた後、第１電圧である正の電圧Ｖｅからベース電位である接地電位まで緩やかに下降する下りランプ電圧Ｌ５を維持電極２３に印加し、維持電極２３に下りランプ電圧Ｌ５を印加する期間、第２電圧である正の電圧Ｖｄをデータ電極３２に印加するものとする。
【０１５５】
これにより、例えば、次のような構成、すなわち、黒輝度を低減するために上りランプ電圧Ｌ１の最大電圧（電圧Ｖｉ２）を下げて強制初期化動作を行うときに、初期化放電を安定に発生させるために、上りランプ電圧Ｌ１を走査電極２２に印加する期間、正の電圧Ｖｄをデータ電極３２に印加する構成であっても、正の電圧Ｖｄをデータ電極３２に印加するときに放電セルに不要な放電が発生するのを防止することができる。したがって、各放電セルで強制初期化動作を行う頻度を複数フィールドに１回にすることで黒輝度をさらに低減する構成であっても、初期化輝点や不灯セルの発生を防止して書込み放電を安定に発生させることができる。
【０１５６】
このように、本実施の形態によれば、データ電極３２に正の電圧を印加して初期化動作するときに放電セル内に不要な放電が発生することを防止し、書込み放電を安定に発生してプラズマディスプレイ装置１における画像表示品質を高めることが可能となる。
【０１５７】
なお、本発明は、フィールドを構成するサブフィールドが、上述した特定セル初期化サブフィールド、非初期化サブフィールド、選択初期化サブフィールドの３種類のサブフィールドに限定されるものではない。例えば、初期化期間に全ての放電セルに強制初期化動作を行う全セル初期化サブフィールドをさらに設け、上述した２種類のフィールド（特定セル初期化フィールド、非初期化フィールド）に加えて新たなフィールド（例えば、第１ＳＦを全セル初期化サブフィールドとし、他のサブフィールドを選択初期化サブフィールドとする全セル初期化フィールド）を設ける構成としてもよい。
【０１５８】
なお、本実施の形態に示した特定セル初期化サブフィールドにおける強制初期化波形および非初期化波形の発生パターンは、単なる一実施例を示したものに過ぎず、本発明は、何らこれらの構成に限定されるものではない。強制初期化波形の発生頻度を変更することができる構成であれば、本実施の形態に示した以外の構成であってもかまわない。
【０１５９】
なお、図８に示したタイミングチャートは本発明の実施の形態における一例を示したものに過ぎず、本発明は何らこれらのタイミングチャートに限定されるものではない。
【０１６０】
（実施の形態２）
実施の形態１では、下りランプ電圧Ｌ５を一定の勾配で下降する波形形状として示したが、本発明は、下りランプ電圧が何らその波形形状に限定されるものではない。例えば、下りランプ電圧を互いに勾配が異なる２つの傾斜領域を有する波形形状としてもよい。
【０１６１】
図１０は、本発明の実施の形態２におけるパネル１０の各電極に印加する駆動電圧波形の一例を示す波形図である。図１０に示す駆動電圧波形が図３に示した駆動電圧波形と異なる点は、下りランプ電圧Ｌ５に代えて、互いに勾配が異なる２つの傾斜領域を有する波形形状の下りランプ電圧Ｌ５’とした点である。
【０１６２】
本実施の形態では、維持電極２３に印加する下りランプ電圧Ｌ５’を、放電セルに放電が発生するまでは急峻に下降し、放電セルに放電が発生してからは緩やかに下降する波形形状にして発生する。これにより、下りランプ電圧Ｌ５を発生したときと同様の効果を保持しつつ、下りランプ電圧Ｌ５を発生する場合と比較して、パネル１０の駆動に要する時間を短縮することが可能となる。
【０１６３】
図１１は、本発明の実施の形態２におけるプラズマディスプレイ装置１の維持電極駆動回路４４１の一構成例を示す回路図である。なお、図１１に示す維持電極駆動回路４４１は、下りランプ電圧Ｌ５’を発生させるために、図６に示した維持電極駆動回路４４とは、下降する傾斜電圧を発生させるミラー積分回路の構成を変えている。
【０１６４】
図１１に示すように維持電極駆動回路４４１は、下りランプ電圧Ｌ５’を発生するためのミラー積分回路５７を有する。ミラー積分回路５７は、ミラー積分回路５６と同様のスイッチング素子Ｑ４とコンデンサＣ４と抵抗Ｒ４とを有し、さらに、コンデンサＣ４に直列に接続されたツェナーダイオードＤｉ４を有する。なお、図１１には、ミラー積分回路５７の入力端子を入力端子ＩＮ４１として示している。
【０１６５】
ツェナーダイオードＤｉ４は、入力端子ＩＮ４１からミラー積分回路５７に入力される定電流に対して順方向に設けられ、ツェナー電圧（例えば、８０（Ｖ））の分だけ維持電極２３の電圧を急峻に下降させる働きを有する。
【０１６６】
そして、本実施の形態では、図６に示したミラー積分回路５６を用いて下りランプ電圧Ｌ５を発生するときと同様に、走査パルスを走査電極ＳＣ１〜走査電極ＳＣｎの全てに印加し終えた後、スイッチング素子Ｑ２６およびスイッチング素子Ｑ２７をオフにするとともにミラー積分回路５７の入力端子ＩＮ４１に所定の定電流を入力して入力端子ＩＮ４１を「Ｈｉ」にする。
【０１６７】
これにより、維持電極２３の電圧は、ツェナーダイオードＤｉ４のツェナー電圧の分だけ急峻に下降する。このとき、このツェナー電圧を放電開始電圧をやや下回る程度の電圧に設定することで、放電セルに印加する電圧を、放電が発生する直前の電圧まで急峻に下降することができる。
【０１６８】
維持電極２３の電圧がツェナー電圧の分だけ急峻に下降した後は、ミラー積分回路５６と同様に、コンデンサＣ４に向かって一定の電流が流れ、スイッチング素子Ｑ４のドレイン電圧がランプ状に下降し始め、維持電極２３の電圧はベース電位である接地電位に向かってランプ状に（例えば、−２．５Ｖ／μｓｅｃの勾配で）下降し始める。本実施の形態では、このようにして、下りランプ電圧Ｌ５’を発生している。
【０１６９】
以上示したように、本実施の形態によれば、維持電極２３に印加する下りランプ電圧Ｌ５’を、放電セルに放電が発生するまでは急峻に下降し、放電セルに放電が発生してからは緩やかに下降する波形形状とすることで、下りランプ電圧Ｌ５と比較して、パネル１０の駆動に要する時間を短縮することが可能となる。
【０１７０】
なお、下りランプ電圧Ｌ５’を発生させる構成は、何ら図１１に示す構成に限定されるものではない。維持電極ＳＵ１〜維持電極ＳＵｎに印加する電圧を所望の勾配で下降し、かつ互いに勾配が異なる２つの傾斜領域を有する波形形状として発生することができれば、どのような構成であってもかまわない。
【０１７１】
なお、本実施の形態では、下りランプ電圧Ｌ５’を、互いに勾配が異なる２つの傾斜領域を有する波形形状として示したが、下りランプ電圧Ｌ５’は互いに勾配が異なる３つあるいはそれ以上の傾斜領域を有する波形形状であってもよい。
【０１７２】
（実施の形態３）
実施の形態１では、それぞれの放電セルにおいて複数フィールドに１回だけ強制初期化動作を行う構成を例に挙げ、強制初期化が行われない放電セルの書込み動作を安定にする効果が得られることを説明した。しかし、本発明は何らこの構成に限定されるものではなく、他のサブフィールド構成に用いることも可能である。
【０１７３】
図１２は、本発明の実施の形態３におけるパネル１０の各電極に印加する駆動電圧波形の一例を示す波形図である。図１２に示す駆動電圧波形では、第１ＳＦを全ての放電セルに強制初期化動作を行う全セル初期化サブフィールドとしている。例えば、このような場合であっても、データ電極３２に正の電圧Ｖｄを印加するときに放電セルに不要な放電が発生するのを防止して、第１ＳＦにおける強制初期化動作を安定にするという効果を得ることができる。
【０１７４】
図１３は、本発明の実施の形態３におけるパネル１０の各電極に印加する駆動電圧波形の他の一例を示す波形図である。図１３に示す駆動電圧波形では、特定セル初期化フィールドの構成を、第２ＳＦを特定セル初期化サブフィールドとし、第１ＳＦおよび第３ＳＦ〜第９ＳＦを選択初期化サブフィールドとしている。そして、第１ＳＦの維持期間では、維持パルスを発生せず、消去ランプ電圧Ｌ３だけを発生し、維持パルスによる発光よりも発光輝度を低減して、輝度重み「１」よりもさらに小さい輝度重み（例えば、輝度重み「０．２５」）を実現できる構成としている。すなわち、１フィールドを９つのサブフィールド（第１ＳＦ、第２ＳＦ、・・・、第ＳＦ）で構成し、各サブフィールドはそれぞれ０．２５、１、２、４、８、１６、３２、６４、１２８の輝度重みを有する構成としている。
【０１７５】
そして、所定のサブフィールドにおいて、すなわち、上りランプ電圧Ｌ１による強制初期化動作を行う第２ＳＦの直前のサブフィールドである第１ＳＦにおいて、下りランプ電圧Ｌ５を発生し、維持電極２３−データ電極３２間に微弱な放電を発生させている。例えば、このような場合であっても、データ電極３２に正の電圧Ｖｄを印加するときに放電セルに不要な放電が発生するのを防止して初期化輝点や不灯セルの発生を防止し、書込み放電を安定に発生することができる。
【０１７６】
図１４は、本発明の実施の形態３におけるパネル１０の各電極に印加する駆動電圧波形のさらに他の一例を示す波形図である。図１４に示す駆動電圧波形では、図１３に示す駆動電圧波形に加え、さらに、第１ＳＦの維持期間、すなわち消去ランプ電圧Ｌ３だけを発生する維持期間の間、データ電極３２に正の電圧Ｖｄを印加する構成としている。例えば、この場合でも、データ電極３２に正の電圧Ｖｄを印加するときに放電セルに不要な放電が発生するのを防止して初期化輝点や不灯セルの発生を防止し、書込み放電を安定に発生することができる。
【０１７７】
なお、維持期間に維持パルスを表示電極対に印加するときに、データ電極に第２電圧を印加すると、誤放電を誘発するおそれがある。したがって、そのような誤放電の発生を防止するために、本発明においては、表示電極対に維持パルスを印加する期間は、データ電極を第２電圧である電圧Ｖｄよりも低いベース電位（接地電位）とすることが望ましい。
【０１７８】
なお、本実施の形態では、下りランプ電圧Ｌ５を第１電圧からベース電位まで下降する波形形状とする構成を説明したが、本発明は何らこの構成に限定されるものではない。下りランプ電圧Ｌ５は、第１電圧から第１電圧よりも低い電圧でかつ放電セル内に微弱放電を発生させることができる電位まで下降する波形形状であればよく、その電圧は０（Ｖ）よりも高い電圧であってもよい。あるいは、０（Ｖ）より低い電位であってもよい。
【０１７９】
なお、本発明における実施の形態は、走査電極ＳＣ１〜走査電極ＳＣｎを第１の走査電極グループと第２の走査電極グループとに分割し、書込み期間を、第１の走査電極グループに属する走査電極のそれぞれに走査パルスを印加する第１の書込み期間と、第２の走査電極グループに属する走査電極のそれぞれに走査パルスを印加する第２の書込み期間とで構成する、いわゆる２相駆動によるパネルの駆動方法にも適用させることができる。
【０１８０】
なお、本発明における実施の形態は、走査電極と走査電極とが隣り合い、維持電極と維持電極とが隣り合う電極構造、すなわち前面板に設けられる電極の配列が、「・・・、走査電極、走査電極、維持電極、維持電極、走査電極、走査電極、・・・」となる電極構造のパネルにおいても有効である。
【０１８１】
なお、本発明の実施の形態において示した具体的な各数値、例えば、上りランプ電圧Ｌ１、下りランプ電圧Ｌ２、消去ランプ電圧Ｌ３、下りランプ電圧Ｌ５、下りランプ電圧Ｌ５’の各傾斜電圧の勾配等は表示電極対数１０８０の５０インチのパネルの特性にもとづき設定したものであって、単に実施の形態の一例を示したものに過ぎない。本発明はこれらの数値に何ら限定されるものではなく、パネルの特性やプラズマディスプレイ装置の仕様等に合わせて最適に設定することが望ましい。また、これらの各数値は、上述した効果を得られる範囲でのばらつきを許容するものとする。
【産業上の利用可能性】
【０１８２】
本発明は、データ電極に正の電圧を印加して初期化動作するときに放電セル内に不要な放電が発生することを防止し、表示画像の黒輝度の低減と書込み放電の安定化とを両立して画像表示品質を高めることができるので、パネルの駆動方法およびプラズマディスプレイ装置として有用である。
【符号の説明】
【０１８３】
１    プラズマディスプレイ装置
１０    パネル（プラズマディスプレイパネル）
２１    前面板
２２    走査電極
２３    維持電極
２４    表示電極対
２５，３３    誘電体層
２６    保護層
３１    背面板
３２    データ電極
３４    隔壁
３５    蛍光体層
４１    画像信号処理回路
４２    データ電極駆動回路
４３    走査電極駆動回路
４４，４４１    維持電極駆動回路
４５    タイミング発生回路
５０，８０    維持パルス発生回路
５１    初期化波形発生回路
５２    走査パルス発生回路
５３，５４，５５，５６，５７    ミラー積分回路
Ｑ１，Ｑ２，Ｑ３，Ｑ４，Ｑ５，Ｑ６，Ｑ７，Ｑ２６，Ｑ２７，ＱＨ１〜ＱＨｎ，ＱＬ１〜ＱＬｎ，Ｑ１Ｄ１〜Ｑ１Ｄｍ，Ｑ２Ｄ１〜Ｑ２Ｄｍ    スイッチング素子
Ｃ１，Ｃ２，Ｃ３，Ｃ４，Ｃ３１    コンデンサ
Ｄｉ３０，Ｄｉ３１    ダイオード
Ｄｉ４    ツェナーダイオード
Ｒ１，Ｒ２，Ｒ３，Ｒ４    抵抗
Ｌ１    上りランプ電圧
Ｌ２，Ｌ４，Ｌ５，Ｌ５’    下りランプ電圧
Ｌ３    消去ランプ電圧
【図１】
2010131466.tif 000003
【図２】
2010131466.tif 000004
【図３】
2010131466.tif 000005
【図４】
2010131466.tif 000006
【図５】
2010131466.tif 000007
【図６】
2010131466.tif 000008
【図７】
2010131466.tif 000009
【図８】
2010131466.tif 000010
【図９】
2010131466.tif 000011
【図１０】
2010131466.tif 000012
【図１１】
2010131466.tif 000013
【図１２】
2010131466.tif 000014
【図１３】
2010131466.tif 000015
【図１４】
2010131466.tif 000016
【手続補正書】
【提出日】平成23年9月9日(2011.9.9)
【手続補正１】
【補正対象書類名】明細書
【補正対象項目名】００３８
【補正方法】変更
【補正の内容】
【００３８】
まず、特定セル初期化サブフィールドである第１ＳＦについて説明する。
【手続補正２】
【補正対象書類名】明細書
【補正対象項目名】０１７４
【補正方法】変更
【補正の内容】
【０１７４】
図１３は、本発明の実施の形態３におけるパネル１０の各電極に印加する駆動電圧波形の他の一例を示す波形図である。図１３に示す駆動電圧波形では、特定セル初期化フィールドの構成を、第２ＳＦを特定セル初期化サブフィールドとし、第１ＳＦおよび第３ＳＦ〜第９ＳＦを選択初期化サブフィールドとしている。そして、第１ＳＦの維持期間では、維持パルスを発生せず、消去ランプ電圧Ｌ３だけを発生し、維持パルスによる発光よりも発光輝度を低減して、輝度重み「１」よりもさらに小さい輝度重み（例えば、輝度重み「０．２５」）を実現できる構成としている。すなわち、１フィールドを９つのサブフィールド（第１ＳＦ、第２ＳＦ、・・・、第９ＳＦ）で構成し、各サブフィールドはそれぞれ０．２５、１、２、４、８、１６、３２、６４、１２８の輝度重みを有する構成としている。
【国際調査報告】
2010131466.tif 000017
2010131466.tif 000018
2010131466.tif 000019
2010131466.tif 000020
2010131466.tif 000021
2010131466.tif 000022
2010131466.tif 000023
2010131466.tif 000024